(57)【特許請求の範囲】
【請求項１】
薄肉可撓性のシート材から形成された容器本体と、該容器本体の開口部に取付部材を介して取り付けられ、外部操作によって前記容器本体に収容された内容物を汲み上げて、外部に吐出するように構成されたディスペンサとからなる液体抽出容器を収納するための液体抽出容器収納具であって、
上部に開口部を有し、該開口部から挿入された前記液体抽出容器を周囲の側壁にて包み込むように構成された収納具本体と、
前記収納具本体の前記開口部に着脱自在に固定される蓋体とを備え、
しかも、該蓋体には、前記液体抽出容器を挿通すると共に、前記取付部材を介して当該蓋体にて液体抽出容器を支持するために、当該蓋体の一端から中心部にかけて切れ込んだ切欠部が設けられており、
前記蓋体及び前記収納具本体の内のいずれか一方には溝が設けられ、かつ、いずれか他方には、該溝に係合すると共に、該溝に沿って摺動可能な係合突起が設けられ、
該係合突起を該溝に沿ってスライド移動させることにより、該蓋体と該収納具本体とが互いに固定可能に構成されていることを特徴とする液体抽出容器収納具。
【発明の詳細な説明】
【０００１】
【発明の属する技術分野】
本発明は、薄肉可撓性のシート材から形成された容器本体と、容器本体の開口部に取付部材を介して取り付けられ、外部操作によって容器本体に収容された内容物を汲み上げて、外部に吐出するように構成されたディスペンサとからなる液体抽出容器を収納するための液体抽出容器収納具に関する。
【０００２】
【従来の技術】
従来より、このような液体抽出容器を収納する液体抽出容器収納具は種々提案されており、例えば、実開平６−３２３４７号公報では、上部が開口し、液体抽出容器の容器本体を収納する箱形の収納具本体と、収納具本体の開口部に取り付けられる蓋体とからなる液体抽出容器収納具が提案されている。
【０００３】
そして、この公報に記載の収納具では、蓋体の中央部分が開口しており、液体抽出容器を収納具に収納する際には、まず、液体抽出容器の容器本体を蓋体の内側から差し入れ、更に蓋体の外側から蓋体の開口部を介してディスペンサを挿通した後に、ディスペンサを容器本体に取り付けるようになっている。つまり、ディスペンサ，蓋体，容器本体を一体的に固定した後に、この状態の蓋体を収納具本体に取り付けることによって、液体抽出容器を収納するようにしているのである。
【０００４】
また、実用新案登録第２５６３３２６号公報では、収納具自体が箱形状に形成されると共に、天板の一部が開口され、更に収納具の一側方から開口部にかけて開放された開放部を有する液体抽出容器収納具が提案されている。そして、この公報に記載の収納具では、液体抽出容器収納具を開放部を介して一側方から挿入させて収納するようになっている。
【０００５】
【発明が解決しようとする課題】
ところが、実開平６−３２３４７号公報の液体抽出容器収納具では、液体抽出容器を収納具に収納する際には、蓋体の開口部を介して蓋体の外側からディスペンサを挿通し、更に容器本体が倒れたりしないように手で支持しつつ、ディスペンサを容器本体に取り付けることになるが、このような作業を行うには、例えば、液体抽出容器からディスペンサを取り外して、ディスペンサと容器本体とを分離しておく必要があり、液体抽出容器の使用者にとっては面倒である。
【０００６】
また、ディスペンサを容器本体に取り付ける際には、容器本体を使用者が手で支持することによって容器本体を押圧することになる上に、容器本体内に挿通されるチューブ等によって液体自体が押圧されることになる。このため、容器本体内の液体が容器本体からあふれ出ることがあった。
【０００７】
また、実用新案登録第２５６３３２６号公報の液体抽出容器収納具では、収納具の一側方が開放されているため、液体抽出容器を収納した状態の収納具を取り扱う際（例えば、収納具を移動させたり、持ち上げたりする際）に、不用意に収納具が開放部側が下方側を向くと、液体抽出容器が開放部の開放方向に滑り出たり、収納具から液体抽出容器が飛び出てしまうおそれがあった。
【０００８】
本発明は、こうした問題に鑑みなされたものであり、液体抽出容器を取出可能に収納する液体抽出容器収納具において、液体抽出容器を簡便に収納でき、しかも、収納後には液体抽出容器が外部に飛び出たりしないようにすることを目的とする。
【０００９】
【課題を解決するための手段，発明の実施の形態及び発明の効果】
かかる目的を達成するためになされた請求項１に記載の発明は、薄肉可撓性のシート材から形成された容器本体と、該容器本体の開口部に取付部材を介して取り付けられ、外部操作によって前記容器本体に収容された内容物を汲み上げて、外部に吐出するように構成されたディスペンサとからなる液体抽出容器を収納するための液体抽出容器収納具であって、上部に開口部を有し、該開口部から挿入された前記液体抽出容器を周囲の側壁にて包み込むように構成された収納具本体と、前記収納具本体の前記開口部に着脱自在に固定される蓋体とを備え、しかも、該蓋体には、前記液体抽出容器を挿通すると共に、前記取付部材を介して当該蓋体にて液体抽出容器を支持するために、当該蓋体の一端から中心部にかけて切れ込んだ切欠部が設けられていることを特徴とする。
【００１０】
このように、本発明（請求項１）の液体抽出容器収納具は、液体抽出容器を収納する収納具本体と、収納具本体に着脱自在に取り付けられる蓋体とからなる。また、蓋体は一端から中心部まで切れ込んだ切欠部を有しており、この切欠部を介して液体抽出容器が蓋体の一端側から中心部側に通過できるようになっており、しかも、ディスペンサの取付部材を介して、蓋体にて液体抽出容器を支持できるようになっている。
【００１１】
このため、容器本体に対してディスペンサが取り付けられた状態の液体抽出容器でもそのまま収納でき、従来の液体抽出容器収納具の場合に行っていたような液体抽出容器の容器本体からディスペンサを一旦取り外す、といった作業が不要となり、再度ディスペンサを容器本体に取り付ける際に生じていた、容器本体内の液体があふれ出でしまう等の不具合がなくなるのである。しかも、液体抽出容器を収納する際には、蓋体にて液体抽出容器を支持した上で、液体抽出容器の容器本体部分を収納具本体内に入れると共に、蓋体を収納具本体の開口部に配置する（或いは、液体抽出容器の容器本体部分を収納具本体内に入れた上で、蓋体を収納具本体の開口部に配置し、蓋体にて液体抽出容器を支持する）だけでよいので、その収納作業は極めて簡単である。
【００１２】
また、収納具本体は収納された液体抽出容器を側壁にて周囲から包み込むように構成されているため、液体抽出容器を収納した後には、液体抽出容器収納具を移動させたり、持ち上げたりすることによって液体抽出容器収納具が傾いたとしても、収納した液体抽出容器が容器本体から滑り出たりするといったように飛び出ることがない。
【００１３】
また更に、本発明（請求項１）では、蓋体と収納具本体とを別体としており、例えば、切欠部の切れ込みの大きさが異なる複数種類の蓋体を用意しておけば、容器本体の取付部の外径の大きさが異なる複数種類の液体抽出容器をそれぞれ収容することができるようになる。
【００１４】
尚、切欠部の切れ込みの大きさは、必ずしも容器本体の取付部の外径の大きさに対応するように完全一致している必要はなく、多少取付部よりも大きく形成してもよい。このようにしても、液体抽出容器が上記した容器本体に収納されるため、容器本体から滑り出たりしてしまうことはないのである。
【００１５】
ところで、本発明（請求項１）では、液体抽出容器のディスペンサの取付部材を利用することによって、液体抽出容器収納具の蓋体にて液体抽出容器を支持するようにしているが、よりしっかりと支持するようにするためには、例えば、蓋体の天板を挟み込めるような溝をディスペンサ（或いは、容器本体）に設けるようにしておけばよい。
【００１６】
また、本発明（請求項１）では、蓋体を液体抽出容器収納具に取り付けるため、蓋体及び収納具本体の内のいずれか一方に溝を設け、かつ、いずれか他方には、この溝に係合すると共に、溝に沿って摺動可能な係合突起を設ける。
【００１７】
このため、係合突起を溝に沿って摺動させることにより、蓋体と収納具本体とを互いに固定することができる。しかも、蓋体を収納具本体に取り付けるには、蓋体をスライド移動させるだけでよく、また、蓋体を収納具本体から取り外すには、取り付けた方向とは反対側の方向にスライド移動させるだけでよいので、蓋体の着脱作業は極めて簡単である。
【００２０】
従って、本発明（請求項１）の液体抽出容器収納具は、蓋体を簡単に収納具本体に取り付けたり、取り外したりすることができるといった効果を奏する。
【００２１】
【実施例】
以下に本発明の各実施例を図面と共に説明する。
図１は、本実施例の液体抽出容器収納具２の概略構成を表す斜視図である。
ここで、まず各実施例の液体抽出容器収納具（以下、単に収納具ともいう）に収納する液体抽出容器１００の構成について、図１を用いて簡単に説明する。
【００２２】
液体抽出容器１００は、容器本体１１０と、内容物を汲み上げるポンプ機能及び内容物を吐出する機能を備えた周知のディスペンサ１２０とから構成されている。
この内、容器本体１１０は、薄肉可撓性を有するシート材が用いられ、所要箇所を融着・接着等により箱形状に形成したもので、上端中央部には、ディスペンサ１２０を取り付けると共に、薬品（例えば、染毛剤、パーマネント液、シャンプー、リンス、ヘアートリートメント等の毛髪化粧剤等）を内容物として注入するための開口部１１２を有している。
【００２３】
一方、ディスペンサ１２０は、内容物を抽出するための操作用ヘッド１２２と、内容物を抽出する抽出口を備えた抽出ノズル１２４と、当該ディスペンサ１２０を容器本体１１０の円形の開口部１１２に取り付けるための円筒状のキャップ１２６とからなる。
【００２４】
尚、キャップ１２６は請求項１に記載の取付部材としての機能を有しており、後述するようにキャップ１２６の下部周縁部分を蓋体２０の天板２２に当接させることによって、ディスペンサ１２０（ひいては液体抽出容器１００）を蓋体２０にて支持できるようになっている。
【００２５】
また、ディスペンサ１２０は、中空円筒状のピストン１２８を有しており、弾性部材（図示略）によって常に上方に付勢されている。また、その下部には内容物抽出用のチューブ（図示略）が固着されている。
そして、液体抽出容器１００では、操作用ヘッド１２２を外部から押下することによって、ピストン１２８がシリンダ（図示略）内を下動するが、この下動に伴ってチューブを介して内容物が抽出され、更にその内容物はピストン１２８内等に導入され、最終的には抽出ノズル１２４から吐出されるようになる。
【００２６】
次に、本発明の主要部である液体抽出容器収納具２について説明する。
収納具２は、液体抽出容器１００を収納する収納具本体１０と、収納具本体１０に対して着脱可能に取り付けられる蓋体２０とからなる。尚、収納具本体１０及び蓋体２０は共に合成樹脂（例えば、ポリプロピレン等）から形成されている。
【００２７】
この内、収納具本体１０は、上部に開口部１２を有すると共に、開口部１２を取り囲む側壁１０ａ，１０ｂと、底板１０ｃとから構成され、液体抽出容器１００の容器本体１１０を各側壁１０ａ，１０ｂにて十分包み込むことが可能な大きさを有した上で、全体として直方体状の外観を呈するように形成されている（即ち、収納具本体１０を上から見た場合には長方形状を呈するように形成されている）。また、収納具本体１０の開口部１２側において長辺方向に沿った外面上端側には、後述する蓋体２０を取り付けるための溝１４が形成されている。
【００２８】
一方、蓋体２０は天板２２と、天板２２の端部から延設された側壁とからなり、蓋体２０を上からみた場合には、収納具本体１０と同様の長方形状を呈している。また、蓋体２０の長辺方向に沿った両側の側壁２４は、天板２２の端部から外側斜め下方に延びる斜面と、斜面の下端から下方に延びる壁面とを有している。
【００２９】
また、蓋体２０は、長辺方向の一端にのみ、天板２２の端部から下方に延設された側壁２４を有しており、側壁が設けられない側は開放された状態となっている。そして、天板２２において、側壁が設けられない側の端部から天板２２の中心部分までの間は短冊状に切れ込まれており、前述した開放された部分と、この切れ込まれた部分とで切欠部２８が形成されている。つまり、蓋体２０は、長辺方向の一側方から天板２２の中心部分までの間が開放された状態となっている。
【００３０】
尚、切欠部２８は、天板２２の部分では、蓋体２０の長辺方向に平行な幅が、液体抽出容器１００における容器本体１１０の開口部１１２の外径よりも若干大きくなるように形成されている。
また、側壁２６の内面下端側には、係合部分の縦断面図である図２に示すように、収納具本体１０の溝１４に係合する係合突起３０が突設されており、係合突起３０を溝１４に沿って摺動させることにより、蓋体２０と収納具本体１０とが互いに固定できるようになっている。
【００３１】
このように構成された収納具２に液体抽出容器１００を収納するには、例えば、まず、ディスペンサ１２０が容器本体１１０に取り付けられた状態の液体抽出容器１００を、収納具本体１０内に開口部１２を介して収納した上で、液体抽出容器１００が収納具本体１０内で倒れないように支持して直立させておく。次いで、蓋体２０の切欠部２８が形成された側の一側方を収納具本体１０の長辺方向に向かせて、更に蓋体２０の係合突起３０を収納具本体１０の溝１４に係合させる。そして、係合突起３０を溝１４に沿って摺動させることにより、蓋体２０をスライド移動させて、蓋体２０と収納具本体１０とを互いに固定する。
【００３２】
尚、蓋体２０をスライド移動させる際には、液体抽出容器１００のディスペンサ１２０のキャップ１２６全体が蓋体２０から突出するように液体抽出容器１００を支持した上で、液体抽出容器１００を天板２２の中心部分側に向かって、切欠部２８の間を移動させるようにする。
【００３３】
また、蓋体２０を収納具本体１０に固定した後には、キャップ１２６の下部周縁部分を蓋体２０上に当接させて、液体抽出容器１００を蓋体２０にて支持する。
以上の手順にて収納具２に液体抽出容器１００を収納することができる。尚、収納具２から液体抽出容器１００を取り出すには、収納した手順を逆にたどればよい。
【００３４】
以上説明したように、第１実施例の収納具２では、容器本体１１０にディスペンサ１２０を取り付けたままで液体抽出容器１００を収納具本体１０に収納できる。しかも、液体抽出容器が収納された状態の収納具本体１０に蓋体２０を固定するには、蓋体２０を収納具本体１０の開口部１２の側方からスライド移動させればよいため、簡単に固定することができる。従って、液体抽出容器１００を収納具２に収納する作業（ひいては取り出す作業）は極めて簡単である。また、収納具２の収納具本体１０では、図１に示すように、液体抽出容器１００を収納する際には、液体抽出容器１００を周囲の側壁１０ａ，１０ｂにて包み込む共に、蓋体２０を収納具本体１０に固定するようになっているため、液体抽出容器１００を収納した後には、収納具２を移動させたり、持ち上げたりすることによって収納具２が傾いても、収納した液体抽出容器が滑り出たり、落下してしまうことがないのである。
【００３５】
次に、第２実施例の液体抽出容器収納具４０について説明する。
図３は、本実施例の液体抽出容器収納具４０の概略構成を示す斜視図である。
収納具４０は、液体抽出容器１００を収納する収納具本体５０と、収納具本体５０に対して着脱可能に取り付けられる蓋体６０とからなる。尚、収納具本体５０及び蓋体６０は共に合成樹脂（例えば、ポリプロピレン等）から形成されている。
【００３６】
尚、本実施例の収納具４０では、収納具本体５０，蓋体６０それぞれの全体的な形状は、上記した第１実施例の収納具２の収納具本体１０，蓋体２０とほぼ同様であるものの、収納具２では、蓋体２０を一側方からスライド移動させることによって収納具本体１０に固定するようにしていたのに対し、収納具４０では、蓋体６０を収納具本体５０の上方から被せるようにして固定するようにしているため、収納具４０と収納具２とは、蓋体と収納具本体との固定方法が異なる。
【００３７】
そして、以下の説明においては、収納具２と同じ構成部材については、同じ符号を用いてその詳細な説明を省略する。
収納具本体５０の開口部１２側において、長辺方向に沿った外面上端側には、蓋体６０を取り付けるための複数の半円形状のリブ５２（図３に示した収納具本体５０では一辺に二つのリブ）が形成されている。
【００３８】
一方、蓋体６０において、側壁２６の内面下端側には、係合部分の縦断面図である図４に示すように、収納具本体５０のリブ５２に係合する凹状に窪んだ係止部６２が設けられており、蓋体６０を収納具本体５０の上方から被せた上で、係止部６２にリブ５２を係合させることにより、蓋体６０と収納具本体５０とが互いに固定できるようになっている。尚、このとき、収納具本体５０及び蓋体６０は共に合成樹脂から形成されているため、リブ５２及び係止部６２が共に適度に弾性変形しつつ、リブ５２が係止部６２に係合するようになる。
【００３９】
このように構成された収納具４０に液体抽出容器１００を収納するには、例えば、まず、ディスペンサ１２０が容器本体１１０に取り付けられた状態の液体抽出容器１００を、収納具本体５０内に開口部１２を介して収納した上で、液体抽出容器１００が収納具本体１０内で倒れないように支持して直立させておく。次いで、蓋体６０の長辺方向が収納具本体５０の長辺方向に対して平行となるように蓋体６０を配置させた上で、蓋体６０を収納具本体５０の上方から被せて、更に蓋体６０の係止部６２を収納具本体５０のリブ５２に係合させることにより、蓋体６０と収納具本体５０とを互いに固定する。
【００４０】
尚、蓋体６０を収納具本体５０に被せる際には、液体抽出容器１００のディスペンサ１２０のキャップ１２６全体が蓋体２０から突出するように液体抽出容器１００を支持した上で、液体抽出容器１００を天板２２の中心部分側に向かって、切欠部２８の間を移動させるようにする。
【００４１】
また、蓋体６０を収納具本体５０に固定した後には、キャップ１２６の下部周縁部分を蓋体６０上に当接させて、液体抽出容器１００を蓋体６０にて支持する。
以上の手順にて収納具４０に液体抽出容器１００を収納することができる。尚、収納具４０から液体抽出容器１００を取り出すには、収納した手順を逆にたどればよい。
【００４２】
以上説明したように、第２実施例の収納具４０では、容器本体１１０にディスペンサ１２０を取り付けたままで液体抽出容器１００を収納具本体５０に収納できる。しかも、液体抽出容器１００が収納された状態の収納具本体１０に蓋体６０を固定するには、蓋体６０を収納具本体１０の開口部１２の上方から被せるようにすればよいため、簡単に固定することができる。従って、液体抽出容器１００を収納具４０に収納する作業（ひいては取り出す作業）は極めて簡単である。また、収納具４０の収納具本体５０では、図３に示すように、液体抽出容器１００を収納する際には、液体抽出容器１００を周囲の側壁１０ａ，１０ｂにて包み込む共に、蓋体６０を収納具本体５０に固定するようになっているため、液体抽出容器１００を収納した後には、収納具４０を移動させたり、持ち上げたりすることによって収納具４０が傾いても、収納した液体抽出容器が滑り出たり、落下してしまうことがないのである。
【００４３】
以上、本発明の実施例について説明したが、本発明は上記実施例に限定されるものではなく、種々の態様を採ることができる。
例えば、各実施例では、蓋体２０，６０にて液体抽出容器１００を支持するために、ディスペンサ１２０のキャップ１２６を利用するようにしたが、図１（または図３）に示すように、容器本体１１０の開口部１１２の周縁に、複数のフランジ１１６（図１（または図３）に示した液体抽出容器１００では二つのフランジ）を外周に有する円筒状の支持部１１４を固着し、各フランジ１１６にて蓋体２０，６０の天板２２における切欠部２８側の端部を挟み込ませることによって、液体抽出容器１００を蓋体２０，６０にて支持するようにしてもよい。尚、その場合には、各フランジ１１６間の距離が蓋体２０，６０の天板２２の厚みよりも若干大きくなるように各フランジ１１６を設ければ、液体抽出容器１００をスムーズに切欠部２８を移動させることができるようになる。
【００４４】
また、収納具２では、収納具本体１０に対して溝１４を設け、蓋体２０に対して係合突起３０を設けるようにしたが、これに限定されず、収納具本体１０に対して係合突起を設け、蓋体２０に対して係合突起に係合する溝を設けるようにしてもよい。或いは、収納具本体１０及び蓋体２０の内のいずれか一方に対して、溝及び係合突起の組み合わせからなる凹凸部を設け、いずれか他方に対してこの凹凸部に係合する凸凹部を設けるようにしてもよい。
【００４５】
このようにしても、蓋体２０をスライド移動させることにより、蓋体２０と収納具本体１０とを互いに固定することができる。
また、収納具４０では、収納具本体５０に対してリブ５２を設け、蓋体６０に対して係止部６２を設けるようにしたが、これに限定されず、蓋体６０に対してリブを設け、収納具本体５０に対してリブに係合する係止部を設けるようにしてもよい。或いは、収納具本体５０及び蓋体６０の内のいずれか一方に対して、リブ及び係止部を設け、いずれか他方に対してこれらリブ及び係止部に係合する係止部及びリブを設けるようにしてもよい（即ち、収納具本体５０及び蓋体６０に対してそれぞれリブ及び係止部を同時に設けるようにする）。
【００４６】
このようにしても、蓋体６０を収納具本体５０の上方から被せるようにして、蓋体６０と収納具本体５０とを互いに固定することができる。
【図面の簡単な説明】
【図１】  第１実施例の液体抽出容器収納具２の概略構成を説明するための説明図である。
【図２】  収納具本体１０と蓋体２０との係合部分を説明するための説明図である。
【図３】  第２実施例の液体抽出容器収納具４０の概略構成を説明するための説明図である。
【図４】  収納具本体５０と蓋体６０との係合部分を説明するための説明図である。
【符号の説明】
２，４０…液体抽出容器収納具、１０，５０…収納具本体、１０ａ，１０ｂ…側壁、１２…開口部、１４…溝、２０，６０…蓋体、２８…切欠部、３０…係合突起、５２…リブ、６２…係止部、１００…液体抽出容器、１１０…容器本体、１２０…ディスペンサ、１２６…キャップ（取付部材）。
【図１】
0004240701.tif 000002
【図２】
0004240701.tif 000003
【図３】
0004240701.tif 000004
【図４】
0004240701.tif 000005